(57)【要約】  本開示は、アクセス制御方法、メッセージ放送方法及び関連装置を提供する。アクセス制御方法は、アクセスカテゴリ及び公衆陸上移動体ネットワークＰＬＭＮ情報のうちの少なくとも一方を含む端末のアクセス情報を決定することと、ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信することと、第１のシステムメッセージがアクセス制御パラメータを搬送しないか、又はアクセス情報が少なくとも１組のアクセス制御パラメータと関連付けられないと、特定の動作を実行することとを含む。【選択図】図２
2021521737.tif 000002
【特許請求の範囲】
【請求項１】
端末に適用されるアクセス制御方法であって、
アクセスカテゴリ及び公衆陸上移動体ネットワークＰＬＭＮ情報のうちの少なくとも一方を含む前記端末のアクセス情報を決定することと、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信することと、
前記第１のシステムメッセージがアクセス制御パラメータを搬送しないか、又は前記アクセス情報が前記少なくとも１組のアクセス制御パラメータと関連付けられないと、特定の動作を実行することとを含む、アクセス制御方法。
【請求項２】
前記特定の動作を実行することは、
前記端末が前記アクセス情報のアクセス要求の開始を許可するように指示するか、又は前記端末が前記アクセス情報のアクセス要求の開始を禁止するように指示するか、又は前記端末がプロトコルによって約束された１組のアクセス制御パラメータを利用して、前記アクセス情報のアクセス要求が禁止されるか否かを決定するように指示する予め設定されたルールに応じて前記特定の動作を実行することを含む、請求項１に記載のアクセス制御方法。
【請求項３】
前記特定の動作を実行することは、
前記アクセス情報と関連付けられない第１のアクセス制御パラメータに基づいて、前記アクセス情報のアクセス要求が禁止されるか否かを決定し、或いは
前記アクセス情報と関連付けられる第２のアクセス制御パラメータに基づいて、前記アクセス情報のアクセス要求が禁止されるか否かを決定することを含む、請求項１に記載のアクセス制御方法。
【請求項４】
前記第１のアクセス制御パラメータは、前記少なくとも１組のアクセス制御パラメータのうちの１組のアクセス制御パラメータであるか、又はアクセス情報と関連付けられない公衆アクセス制御パラメータである、請求項３に記載のアクセス制御方法。
【請求項５】
前記公衆アクセス制御パラメータは、前記端末に予め設定されたアクセス制御パラメータであるか、又は前記第１のシステムメッセージに搬送されたアクセス制御パラメータであるか、又は前記端末が受信した第２のシステムメッセージに搬送されたアクセス制御パラメータであり、かつ前記第２のシステムメッセージが前記第１のシステムメッセージと異なる、請求項４に記載のアクセス制御方法。
【請求項６】
前記第２のアクセス制御パラメータは、前記端末に予め設定された、前記アクセス情報と関連付けられるアクセス制御パラメータである、請求項３に記載のアクセス制御方法。
【請求項７】
ネットワーク側装置に適用されるメッセージ放送方法であって、
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送することを含み、
前記少なくとも１組のアクセス制御パラメータのそれぞれが少なくとも１つのアクセス情報と関連付けられ、前記公衆アクセス制御パラメータがアクセス情報と関連付けられない、メッセージ放送方法。
【請求項８】
アクセスカテゴリ及び公衆陸上移動体ネットワークＰＬＭＮ情報のうちの少なくとも一方を含む端末のアクセス情報を決定する決定モジュールと、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信する受信モジュールと、
前記第１のシステムメッセージがアクセス制御パラメータを搬送しないか、又は前記アクセス情報が前記少なくとも１組のアクセス制御パラメータと関連付けられないと、特定の動作を実行する処理モジュールとを含む、端末。
【請求項９】
前記処理モジュールは、具体的には、
前記端末が前記アクセス情報のアクセス要求の開始を許可するように指示するか、又は前記端末が前記アクセス情報のアクセス要求の開始を禁止するように指示するか、又は前記端末がプロトコルによって約束された１組のアクセス制御パラメータを利用して、前記アクセス情報のアクセス要求が禁止されるか否かを決定するように指示する予め設定されたルールに応じて前記特定の動作を実行する、請求項８に記載の端末。
【請求項１０】
前記処理モジュールは、具体的には、
前記アクセス情報と関連付けられない第１のアクセス制御パラメータに基づいて、前記アクセス情報のアクセス要求が禁止されるか否かを決定し、或いは
前記アクセス情報と関連付けられる第２のアクセス制御パラメータに基づいて、前記アクセス情報のアクセス要求が禁止されるか否かを決定する、請求項８に記載の端末。
【請求項１１】
前記第１のアクセス制御パラメータは、前記少なくとも１組のアクセス制御パラメータのうちの指定された１組のアクセス制御パラメータであるか、又はアクセス情報と関連付けられない公衆アクセス制御パラメータである、請求項１０に記載の端末。
【請求項１２】
前記公衆アクセス制御パラメータは、前記端末に予め設定されたアクセス制御パラメータであるか、又は前記第１のシステムメッセージに搬送されたアクセス制御パラメータであるか、又は前記端末が受信した第２のシステムメッセージに搬送されたアクセス制御パラメータであり、かつ前記第２のシステムメッセージが前記第１のシステムメッセージと異なる、請求項１１に記載の端末。
【請求項１３】
前記第２のアクセス制御パラメータは、前記端末に予め設定された、前記アクセス情報と関連付けられるアクセス制御パラメータである、請求項１０に記載の端末。
【請求項１４】
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送する送信モジュールを含み、
前記少なくとも１組のアクセス制御パラメータのそれぞれが少なくとも１つのアクセス情報と関連付けられ、前記公衆アクセス制御パラメータがアクセス情報と関連付けられない、ネットワーク側装置。
【請求項１５】
メモリと、プロセッサと、前記メモリに記憶されて前記プロセッサ上で動作可能で、前記プロセッサにより実行されると、請求項１〜６のいずれか１項に記載のアクセス制御方法のステップを実現するプログラムとを含む、端末。
【請求項１６】
プロセッサにより実行されると、請求項１〜６のいずれか１項に記載のアクセス制御方法のステップを実現するプログラムが記憶される、コンピュータ読み取り可能な記憶媒体。
【請求項１７】
メモリと、プロセッサと、前記メモリに記憶されて前記プロセッサ上で動作可能で、前記プロセッサにより実行されると、請求項７に記載のメッセージ放送方法のステップを実現するプログラムとを含む、ネットワーク側装置。
【請求項１８】
プロセッサにより実行されると、請求項７に記載のメッセージ放送方法のステップを実現するプログラムが記憶される、コンピュータ読み取り可能な記憶媒体。
【発明の詳細な説明】
【技術分野】
【０００１】
(関連出願の相互参照)
本願は、２０１８年５月１１日に提出された中国特許出願第２０１８１０４５１４２５．２号の優先権を主張するものであり、その全ての内容は参照により本願に組み込まれるものとする。
本開示は、通信の技術分野に関し、特に、アクセス制御方法、メッセージ放送方法及び関連装置に関する。
【背景技術】
【０００２】
統合アクセス制御（Ｕｎｉｆｉｅｄ  Ａｃｃｅｓｓ  Ｃｏｎｔｒｏｌ、ＵＡＣ）方式では、端末の様々なサービス要求に対して、それぞれアクセスカテゴリ（Ａｃｃｅｓｓ  Ｃａｔｅｇｏｒｙ）が定義され、かつネットワーク側装置が放送したシステムメッセージに、異なるアクセス情報と異なるアクセス制御パラメータとが関連付けて設定され、アクセス情報は、アクセスカテゴリ及び公衆陸上移動体ネットワーク（Ｐｕｂｌｉｃ  Ｌａｎｄ  Ｍｏｂｉｌｅ  Ｎｅｔｗｏｒｋ、ＰＬＭＮ）情報のうちの少なくとも１種を含む。端末にサービス要求がある場合、端末は、そのサービス要求のアクセス情報に基づいてシステムメッセージ中の対応するアクセス制御パラメータを取得し、かつアクセス制御パラメータに基づいてアクセス要求が禁止（ｂａｒｒｉｎｇ）されるか否かを決定して、該サービス要求のアクセス要求を開始するか否かを決定する。
【０００３】
ネットワーク側装置は、システムメッセージを放送する際に、アクセス情報毎に、いずれも関連付けられるアクセス制御パラメータを設定すると、ネットワーク側装置のシグナリングオーバーヘッドが大きくなり、ＵＡＣに多くの異なるアクセスカテゴリが存在する。そのため、システムメッセージには、通常、一部のアクセス情報の関連付けられるアクセス制御パラメータのみが設定され、特に定義されていないアクセスカテゴリに対して、システムメッセージには、関連付けられるアクセス制御パラメータが設定される。
【０００４】
しかしながら関連技術では、その開始したサービス要求のアクセス情報には、関連付けられるアクセス制御パラメータが設定されない端末の動作を定義する。この場合、端末の動作の制御不能をもたらすことにより、端末のサービス体験が悪い。
【発明の概要】
【発明が解決しようとする課題】
【０００５】
本開示の実施例は、現在、その開始したサービス要求のアクセス情報に、関連付けられるアクセス制御パラメータが設定されない端末の動作を定義するため、端末の動作の制御不能をもたらすことにより、端末のサービス体験が悪いという課題を解決するように、アクセス制御方法、メッセージ放送方法及び関連装置を提供する。
【課題を解決するための手段】
【０００６】
上記技術的課題を解決するために、本開示は、以下のように実現される。
【０００７】
第１の態様では、本開示の実施例に係る、端末に適用されるアクセス制御方法は、
アクセスカテゴリ及び公衆陸上移動体ネットワークＰＬＭＮ情報のうちの少なくとも一方を含む前記端末のアクセス情報を決定することと、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信することと、
前記第１のシステムメッセージがアクセス制御パラメータを搬送しないか、又は前記アクセス情報が前記少なくとも１組のアクセス制御パラメータと関連付けられないと、特定の動作を実行することとを含む。
【０００８】
第２の態様では、本開示の実施例に係る、ネットワーク側装置に適用されるメッセージ放送方法は、
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送することを含み、
前記少なくとも１組のアクセス制御パラメータのそれぞれが少なくとも１つのアクセス情報と関連付けられ、前記公衆アクセス制御パラメータがアクセス情報と関連付けられない。
【０００９】
第３の態様では、本開示の実施例に係る端末は、
アクセスカテゴリ及び公衆陸上移動体ネットワークＰＬＭＮ情報のうちの少なくとも一方を含む前記端末のアクセス情報を決定する決定モジュールと、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信する受信モジュールと、
前記第１のシステムメッセージがアクセス制御パラメータを搬送しないか、又は前記アクセス情報が前記少なくとも１組のアクセス制御パラメータと関連付けられないと、特定の動作を実行する処理モジュールとを含む。
【００１０】
第４の態様では、本開示の実施例に係るネットワーク側装置は、
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送する、送信モジュールを含み、
前記少なくとも１組のアクセス制御パラメータのそれぞれは、少なくとも１つのアクセス情報と関連付けられ、前記公衆アクセス制御パラメータは、アクセス情報と関連付けられない。
【００１１】
第５の態様では、本開示の実施例に係る端末は、メモリと、プロセッサと、前記メモリに記憶されて前記プロセッサ上で動作可能で、前記プロセッサにより実行されると、上記アクセス制御方法のステップを実現するプログラムとを含む。
【００１２】
第６の態様では、本開示の実施例に係るコンピュータ読み取り可能な記憶媒体は、プロセッサにより実行されると、上記アクセス制御方法のステップを実現するプログラムが記憶される。
【００１３】
第７の態様では、本開示の実施例に係るネットワーク側装置は、メモリと、プロセッサと、前記メモリに記憶されて前記プロセッサ上で動作可能で、前記プロセッサにより実行されると、上記メッセージ放送方法のステップを実現するプログラムとを含む。
【００１４】
第８の態様では、本開示の実施例に係るコンピュータ読み取り可能な記憶媒体は、プロセッサにより実行されると、上記メッセージ放送方法のステップを実現するプログラムが記憶される。
【発明の効果】
【００１５】
このように、本開示の実施例において、アクセスカテゴリ及び公衆陸上移動体ネットワークＰＬＭＮ情報のうちの少なくとも一方を含む端末のアクセス情報を決定し、ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信し、第１のシステムメッセージがアクセス制御パラメータを搬送しないか、又はアクセス情報が少なくとも１組のアクセス制御パラメータと関連付けられないと、特定の動作を実行する。このように、端末は、その開始したサービス要求のアクセス情報に、関連付けられるアクセス制御パラメータが設定されない場合、特定の動作を実行できることにより、端末の動作の制御不能となる可能性を低減し、端末のサービス体験性能を向上させる。
【００１６】
本開示の実施例の技術手段をより明確に説明するために、以下、本開示の実施例の説明に必要な図面を簡単に説明する。明らかに、以下に説明される図面は、本開示のいくつかの実施例にすぎず、当業者であれば、創造的な労働をすることなく、これらの図面に基づいて他の図面を得ることができる。
【図面の簡単な説明】
【００１７】
【図１】本開示の実施例に係るネットワークシステムの構成図である。
【図２】本開示の実施例に係るアクセス制御方法のフローチャートである。
【図３】本開示の実施例に係る別のメッセージ放送方法のフローチャートである。
【図４】本開示の実施例に係る端末の構成図である。
【図５】本開示の実施例に係るネットワーク側装置の構成図である。
【図６】本開示の実施例に係る別の端末の構成図である。
【図７】本開示の実施例に係る別のネットワーク側装置の構成図である。
【発明を実施するための形態】
【００１８】
以下、本開示の実施例における図面を参照しながら、本開示の実施例における技術手段を明確かつ完全に説明する。明らかに、説明される実施例は、本開示の実施例の一部に過ぎず、全てではない。本開示の実施例に基づいて、当業者が創造的な労働をしない前提で得られる他の全ての実施例は、いずれも本開示の保護範囲に属するものである。
【００１９】
図１は、本開示の実施例が適用可能なネットワーク構成図であり、図１に示すように、端末（Ｕｓｅｒ  Ｅｑｕｉｐｍｅｎｔ、ＵＥ）１１とネットワーク側装置１２とを含み、端末１１は、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（Ｐｅｒｓｏｎａｌ  Ｄｉｇｉｔａｌ  Ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）などの端末側装置であってもよい。なお、本開示の実施例において、端末１１の具体的なタイプを限定しない。上記ネットワーク側装置１２は、マクロセル、ＬＴＥ  ｅＮＢ、５Ｇ  ＮＲ  ＮＢなどであってもよく、低電力ノード（Ｌｏｗ  Ｐｏｗｅｒ  Ｎｏｄｅ、ＬＰＮ）、ピコ（ｐｉｃｏ）基地局、マイクロセル基地局（ｆｅｍｔｏ  ｃｅｌｌ）などのスモールセルであってもよく、アクセスポイント（ＡＰ、ａｃｃｅｓｓ  ｐｏｉｎｔ）であってもよく、基地局は、中央ユニット（Ｃｅｎｔｒａｌ  Ｕｎｉｔ、ＣＵ）とその管理制御する複数の送受信ポイント（Ｔｒａｎｓｍｉｓｓｉｏｎ  Ｒｅｃｅｐｔｉｏｎ  Ｐｏｉｎｔ、ＴＲＰ）と共に構成されたネットワークノードであってもよい。なお、本開示の実施例において、ネットワーク側装置１２の具体的なタイプを限定しない。
【００２０】
本開示の実施例に係る、端末に適用されるアクセス制御方法は、
アクセスカテゴリ及び公衆陸上移動体ネットワークＰＬＭＮ情報のうちの少なくとも一方を含む前記端末のアクセス情報を決定することと、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信することと、
前記第１のシステムメッセージがアクセス制御パラメータを搬送しないか、又は前記アクセス情報が前記少なくとも１組のアクセス制御パラメータと関連付けられないと、特定の動作を実行することとを含む。
【００２１】
本開示の実施例において、端末は、その開始したサービス要求のアクセス情報に、関連付けられるアクセス制御パラメータが設定されない場合、特定の動作を実行できることにより、端末の動作の制御不能となる可能性を低減し、端末のサービス体験性能を向上させる。
【００２２】
図２は、本開示の実施例に係る、端末に適用されるアクセス制御方法のフローチャートであり、図２に示すように、以下のステップ２０１〜２０３を含む。
【００２３】
ステップ２０１では、前記端末のアクセス情報を決定する。
【００２４】
本開示の実施例において、端末は、サービス要求を開始する際に、統合アクセス制御（Ｕｎｉｆｉｅｄ  Ａｃｃｅｓｓ  Ｃｏｎｔｒｏｌ、ＵＡＣ）方式では各サービス要求に対してアクセス情報が定義されるため、ＵＡＣの定義に基づいて、その開始したサービス要求のアクセス情報を決定することができる。前記アクセス情報は、アクセスカテゴリ及び公衆陸上移動体ネットワーク（Ｐｕｂｌｉｃ  Ｌａｎｄ  Ｍｏｂｉｌｅ  Ｎｅｔｗｏｒｋ、ＰＬＭＮ）情報のうちの少なくとも一方を含む。
【００２５】
例えば、現在、ＵＡＣに合計６４個の異なるアクセスカテゴリ（アクセスカテゴリは０〜６３）があり、かつＮＲ通信規格において端末の各サービス要求にそれぞれ上記６４個の異なるアクセスカテゴリのうちの少なくとも１つのアクセスカテゴリを定義することができる。例えば、ページング応答サービス（Ｒｅｓｐｏｎｓｅ  ｔｏ  ｐａｇｉｎｇ）要求に定義されたアクセスカテゴリは０で、緊急サービス（Ｅｍｅｒｇｅｎｃｙ）要求に定義されたアクセスカテゴリが２で、アップリンク（ＭＯ、Ｍｏｂｉｌｅ  Ｏｒｉｇｉｎａｔｅ）マルチメディア電話（ＭＭＴｅｌ、Ｍｕｌｔｉ  Ｍｅｄｉａ  Ｔｅｌｅｐｈｏｎｙ）音声通話サービス要求に定義されたアクセスカテゴリが４で、アップリンクマルチメディアビデオ通話サービス（ＭＯ  ＭＭＴｅｌ  ｖｉｄｅｏ  ｃａｌｌ）に定義されたアクセスカテゴリが５であり、端末のサービス要求が緊急サービス要求であると、端末は、そのアクセスカテゴリが２であると決定することができる。
【００２６】
なお、上記アクセス情報は、ＰＬＭＮ情報を含んでもよく、かつ端末の一部のサービスは、特定のＰＬＭＮでそのサービス要求のアクセス要求を開始することが許可される。例えば、時間遅延許容サービスは、放送メッセージが搬送した一部のＰＬＭＮでアクセス要求を開始することが許可されると定義され、かつ該サービスのサービス要求に定義されたアクセスカテゴリが１であり、事業者カスタマイズサービスは、また、端末によって決定されたＰＬＭＮが属する事業者が定義したアクセスカテゴリでアクセス要求を開始することが許可されると定義され、かつ該サービスのサービス要求に定義されたアクセスカテゴリが３２〜６３である。
【００２７】
ステップ２０２では、ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信する。
【００２８】
本開示の実施例において、各ネットワーク側装置は、そのネットワークでシステムメッセージである第１のシステムメッセージを放送でき、該第１のシステムメッセージが如何なるアクセス制御パラメータを搬送しないか又は少なくとも１組のアクセス制御パラメータを搬送し、かつ少なくとも１組のアクセス制御パラメータのそれぞれには、少なくとも１つのアクセス情報が予め設定され関連付けられる。端末は、サービス要求を開始する際に、その在圏ネットワークにおけるネットワーク側装置が放送したシステムメッセージを受信することができる。
【００２９】
上記少なくとも１組のアクセス制御パラメータのそれぞれは、それと関連付けられるアクセス情報のアクセス要求が禁止されるか否かを指示することにより、端末がそのアクセス情報と関連付けられるアクセス制御パラメータに基づいて、対応するアクセス要求を開始するか否かを決定することができる。
【００３０】
しかしながら、ネットワーク側装置がアクセス情報毎に１組のアクセスパラメータを予め設定すると、サポートする必要がある最大シグナリングオーバーヘッドが大きく、ネットワークの放送チャネル容量が十分に限られているため、ネットワーク側装置は、全てのアクセス情報と関連付けられるアクセス制御パラメータ設定を放送することがなく、特に、通信規格では、ネットワーク側装置は、一部のアクセスカテゴリを定義せず（例えば、現在の通信規格で定義されていないアクセスカテゴリ８〜３１）、即ち、該一部のアクセスカテゴリにアクセス制御パラメータを関連付けて設定されない。
【００３１】
このように、端末は、サービス要求を開始する際に、そのアクセス情報に、関連付けられるアクセス制御パラメータが設定されない可能性があり、即ち、端末の在圏ネットワークにおけるネットワーク側装置が放送した第１のシステムメッセージに、端末のアクセス情報と関連付けられるアクセス制御パラメータが搬送されず、さらに、端末のアクセス情報に、関連付けられるアクセス制御パラメータが設定されない。
【００３２】
なお、上記ステップ２０２は、ステップ２０１の前又は後に行ってもよく、ステップ２０１と同時に行ってもよいが、図２には、ステップ２０２がステップ２０１の後に行われる場合のみが示され、ここでは限定されない。
【００３３】
ステップ２０３では、前記第１のシステムメッセージがアクセス制御パラメータを搬送しないか、又は前記アクセス情報が前記少なくとも１組のアクセス制御パラメータと関連付けられないと、特定の動作を実行する。
【００３４】
本開示の実施例において、上記ステップ２０２では、端末は、第１のシステムメッセージを受信した後、第１のシステムメッセージを読み取り、かつ第１のシステムメッセージにそのアクセス情報と関連付けられるアクセス制御パラメータが存在するか否かを判定する。そのアクセス情報に、関連付けられるアクセス制御パラメータが設定されない場合、端末は、特定の動作を実行することにより、端末の動作の制御不能となる可能性を低減し、端末のサービス体験性能を向上させる。
【００３５】
上記端末が特定の動作を実行することは、端末が予め設定されたルールに応じて特定の動作を実行することであってもよく、予めの設定に応じて特定の動作を実行することであってもよく、さらに、プロトコル定義に応じて特定の動作を実行すること等であってもよい。
【００３６】
本開示の具体的な実施例において、上記端末が特定の動作を実行することについて、端末の動作への定義を実現する複数の方式が提供され、以下の方式１〜８を含むが、これらに限定されない。
【００３７】
方式１では、端末は、第１の予め設定されたルールに応じて、常にそのアクセス情報のアクセス要求の開始を許可する。
【００３８】
この場合、端末は、第１のシステムメッセージ中に、その開始したサービス要求に、関連付けられるアクセス制御パラメータが設定されないと決定する場合、アクセス制御パラメータによりそのアクセス要求が禁止（ｂａｒｒｉｎｇ）されるか否かを判定せず、その開始したサービス要求のアクセス要求を直接的に許可する。
【００３９】
上記第１の予め設定されたルールは、端末が第１のシステムメッセージ中に、その開始したサービス要求に、関連付けられるアクセス制御パラメータが設定されないと決定する場合、常にそのアクセス情報のアクセス要求の開始を許可するように指示するルールである。
【００４０】
方式２では、端末は、第２の予め設定されたルールに応じて、常にそのアクセス情報のアクセス要求の開始を禁止する。
【００４１】
この場合、端末は、第１のシステムメッセージ中に、その開始したサービス要求に、関連付けられるアクセス制御パラメータが設定されないと決定する場合、アクセス制御パラメータによりそのアクセス要求が禁止されるか否かを判定せず、その開始したサービス要求のアクセス要求の開始を直接的に禁止する。
【００４２】
上記第２の予め設定されたルールは、端末が第１のシステムメッセージ中に、その開始したサービス要求に、関連付けられるアクセス制御パラメータが設定されないと決定する場合、常にそのアクセス情報のアクセス要求の開始を禁止するように指示するルールである。
【００４３】
方式２では、方式１に比べて、端末が常にそのアクセス情報のアクセス要求の開始を許可し、実際には、端末のアクセス情報のアクセス要求が禁止されるが、端末がそのアクセス情報のアクセス要求を開始する可能性があるため、端末がネットワークリソースを占有することをもたらし、方式２では、常に端末がそのアクセス情報のアクセス要求の開始を禁止するため、端末の動作を定義できるだけでなく、端末がネットワークリソースを占有することを回避することができる。
【００４４】
方式３では、端末は、第３の予め設定されたルールに応じて、プロトコルによって約束された１組のアクセス制御パラメータを利用して、そのアクセス情報のアクセス要求が禁止されるか否かを決定する。
【００４５】
この場合、通信システムでは、プロトコルにより少なくとも１組のアクセス制御パラメータを約束できる。端末は、第１のシステムメッセージ中に、その開始したサービス要求に、関連付けられるアクセス制御パラメータが設定されないと決定する場合、プロトコルによって約束された少なくとも１組のアクセス制御パラメータに基づいて、１組のアクセス制御パラメータを利用して、その開始したサービス要求のアクセス要求が禁止されるか否かを決定して、端末の動作への定義を実現する。
【００４６】
上記端末がプロトコルによって約束された少なくとも１組のアクセス制御パラメータに基づいて、１組のアクセス制御パラメータを利用して、その開始したサービス要求のアクセス要求が禁止されるか否かを決定することは、端末がプロトコルによって約束された１組のアクセス制御パラメータをランダムに選択することであってもよく、ここでは限定されない。
【００４７】
また、上記第３の予め設定されたルールは、端末が第１のシステムメッセージ中に、その開始したサービス要求のアクセス情報に、関連付けられるアクセス制御パラメータが設定されないと決定する場合、プロトコルによって約束された１組のアクセス制御パラメータを利用して、そのアクセス情報のアクセス要求が禁止されるか否かを決定するように指示する。なお、上記第１の予め設定されたルール、第２の予め設定されたルール及び第３の予め設定されたルールは、端末に予め設定され、予め定義されたルールであってもよいか、又はネットワーク側装置がプロトコルに基づいて端末に予め定義したルールであってもよい。
【００４８】
当然のことながら、上記端末は、１組のアクセス制御パラメータにより、その開始したサービス要求のアクセス要求が禁止されるか否かを決定した後、決定の結果に基づいてアクセス要求を開始するか否かを決定する。即ち、端末は、そのアクセス要求が禁止されると決定すると、アクセス要求の開始を禁止し、そのアクセス要求が禁止されないと決定すると、アクセス要求を開始する。
【００４９】
上記方式１〜３から分かるように、端末は、予め設定されたルールに応じて特定の動作を実行し、前記予め設定されたルールは、前記端末が前記アクセス情報のアクセス要求の開始を許可するように指示するか、又は前記端末が前記アクセス情報のアクセス要求の開始を禁止するように指示するか、又は前記端末がプロトコルによって約束された１組のアクセス制御パラメータを利用して、前記アクセス情報のアクセス要求が禁止されるか否かを決定するように指示する。
【００５０】
当然のことながら、上記端末は、プロトコルによって約束された１組のアクセス制御パラメータに基づいて特定の動作を実行することに加えて、他のアクセス制御パラメータに基づいて特定の動作を実行することができる。本開示の具体的な実施例において、前記特定の動作を実行することは、
前記アクセス情報と関連付けられない第１のアクセス制御パラメータに基づいて、前記アクセス情報のアクセス要求が禁止されるか否かを決定し、或いは
前記アクセス情報と関連付けられる第２のアクセス制御パラメータに基づいて、前記アクセス情報のアクセス要求が禁止されるか否かを決定することを含む。
【００５１】
端末が第１のアクセス制御パラメータに基づいて、アクセス情報のアクセス要求が禁止されるか否かを決定することについて、ここでは複数の実現方式が提供され、具体的には以下のとおりである。
【００５２】
方式４では、上記第１のシステムメッセージがアクセスパラメータと関連付けられる少なくとも１組のアクセス制御パラメータを搬送した場合、端末は、予めの設定に基づいて、該少なくとも１組のアクセス制御パラメータのうちの１組のアクセス制御パラメータを用いて、アクセス情報のアクセス要求が禁止されるか否かを決定する。該予めの設定は、端末が第１のシステムメッセージ中の、アクセス情報と関連付けられるように設定された１組のアクセス制御パラメータを用いて、アクセス情報のアクセス要求が禁止されるか否かを決定するように指示する。
【００５３】
上記第１のシステムメッセージ中の、アクセス情報と関連付けられるように設定された１組のアクセス制御パラメータを用いて、アクセス情報のアクセス要求が禁止されるか否かを決定することは、端末が該１組のアクセス制御パラメータに基づいて、該１組のアクセス制御パラメータと関連付けられるアクセス情報のアクセス要求が禁止されるか否かを決定し、該１組のアクセス制御パラメータと関連付けられるアクセス情報のアクセス要求が禁止されると、端末が開始したサービス要求のアクセス情報のアクセス要求が禁止され、該１組のアクセス制御パラメータと関連付けられるアクセス情報のアクセス要求が禁止されないと、端末が開始したサービス要求のアクセス情報のアクセス要求が禁止されないことである。
【００５４】
また、上記端末が用いた１組のアクセス制御パラメータは、第１のシステムメッセージに搬送された、アクセス情報と関連付けられるように設定された少なくとも１組のアクセス制御パラメータからランダムに選択するか又は指定した１組のアクセス制御パラメータであってもよい。例えば、第１のシステムメッセージに搬送された、アクセス情報と関連付けられるように設定された少なくとも１組のアクセス制御パラメータのうちの、第１組のアクセス制御パラメータ又は最後の１組のアクセス制御パラメータなどであってもよい。
【００５５】
当然のことながら、上記方式４に加えて、端末は、如何なるアクセス情報と関連付けられない公衆アクセス制御パラメータを用いて、アクセス情報のアクセス要求が禁止されるか否かを決定することができ、即ち、本開示の具体的な実施例において、前記第１のアクセス制御パラメータは、前記少なくとも１組のアクセス制御パラメータのうちの１組のアクセス制御パラメータであってもよく、アクセス情報と関連付けられない公衆アクセス制御パラメータであってもよい。
【００５６】
ここで、端末が公衆アクセス制御パラメータを用いて、アクセス情報のアクセス要求が禁止されるか否かを決定することは、端末が公衆アクセス制御パラメータに基づいて、アクセス要求が禁止されるか否かを決定し、アクセス要求が禁止されると、端末のアクセス情報のアクセス要求が禁止されると決定し、アクセス要求が禁止されないと、端末のアクセス情報のアクセス要求が禁止されないと決定することである。
【００５７】
ここでは、上記端末が公衆アクセス制御パラメータを用いて、アクセス情報のアクセス要求が禁止されるか否かを決定することについて、複数の実現方式が提供され、以下の方式５〜７を含むが、これらに限定されない。
【００５８】
方式５では、端末は、その予め設定された公衆アクセス制御パラメータを用いて、アクセス情報のアクセス要求が禁止されるか否かを決定する。
【００５９】
この場合、上記公衆アクセス制御パラメータが端末に予め設定され、端末は、第１のシステムメッセージ中に、その開始したサービス要求に、関連付けられるアクセス制御パラメータが設定されないと決定する場合、その予め設定された公衆アクセス制御パラメータを直接的に呼び出すことができる。
【００６０】
当然のことながら、上記公衆アクセス制御パラメータは、ネットワーク側装置が放送したシステムメッセージに搬送されてもよく、具体的には、以下のとおりである。
【００６１】
方式６では、端末は、上記第１のシステムメッセージに搬送された公衆アクセス制御パラメータを読み取り、アクセス情報のアクセス要求が禁止されるか否かを決定する。
【００６２】
この場合、ネットワーク側装置が送信した第１のシステムメッセージ中に、少なくとも上記公衆アクセス制御パラメータが搬送され、端末は、第１のシステムメッセージ中に、その開始したサービス要求に、関連付けられるアクセス制御パラメータが設定されないと決定する場合、第１のシステムメッセージ中の公衆アクセス制御パラメータを読み取ることができる。
【００６３】
方式７では、端末は、第２のシステムメッセージを受信し、かつ第２のシステムメッセージに搬送された公衆アクセス制御パラメータを読み取り、アクセス情報のアクセス要求が禁止されるか否かを決定する。
【００６４】
この場合、端末は、さらに、上記第１のシステムメッセージと異なり、かつ少なくとも上記公衆アクセス制御パラメータが搬送される第２のシステムメッセージを受信することができる。
【００６５】
なお、上記第１のシステムメッセージと上記第２のシステムメッセージとは、そのネットワーク内に第１のシステムメッセージと第２のシステムメッセージを放送する同一のネットワーク側装置により放送されてもよく、異なるネットワーク側装置により送信されてもよい。例えば、多接続通信システムでは、即ち１つの端末が複数のネットワーク側装置に接続され、かつ上記第１のシステムメッセージと上記第２のシステムメッセージとは、それぞれ端末に接続された２つの異なるネットワーク側装置により放送される。
【００６６】
上記方式５〜７から分かるように、本開示の具体的な実施例において、前記公衆アクセス制御パラメータは、前記端末に予め設定されたアクセス制御パラメータであってもよく、前記第１のシステムメッセージに搬送されたアクセス制御パラメータであってもよく、前記端末が受信した第２のシステムメッセージに搬送されたアクセス制御パラメータであってもよく、かつ前記第２のシステムメッセージが前記第１のシステムメッセージと異なる。
【００６７】
上記方式４〜７では、端末は、そのアクセス情報と関連付けられない第１のアクセス制御パラメータに基づいて、アクセス情報のアクセス要求が禁止されるか否かを決定でき、当然のことながら、端末は、さらに関連付けられる第２のアクセス制御パラメータに基づいて、アクセス情報のアクセス要求が禁止されるか否かを決定でき、具体的には、以下のとおりである。
【００６８】
方式８では、端末は、予め設定された、そのアクセス情報と関連付けられるアクセス制御パラメータに基づいて、アクセス情報のアクセス要求が禁止されるか否かを決定する。
【００６９】
この場合、端末にそのアクセス情報と関連付けられるアクセス制御パラメータが予め設定されるか又はプロトコルで予め定義され、端末は、第１のシステムメッセージ中に、その開始したサービス要求に、関連付けられるアクセス制御パラメータが設定されないと決定する場合、そのアクセス情報と関連付けられるアクセス制御パラメータを直接的に決定することができる。
【００７０】
これから分かるように、本開示の具体的な実施例において、前記第２のアクセス制御パラメータは、前記端末に予め設定された、前記アクセス情報と関連付けられるアクセス制御パラメータであってもよい。
【００７１】
なお、上記ステップ２０２の後、端末は、第１のシステムメッセージ中に、その開始したサービス要求に、関連付けられるアクセス制御パラメータが設定されると決定する場合、そのアクセス情報と関連付けられるアクセス制御パラメータに基づいて、そのアクセス情報のアクセス要求が禁止されるか否かを決定できるが、ここでは説明を省略する。
【００７２】
本開示の実施例において、上記アクセス情報は、アクセスカテゴリとＰＬＭＮ情報のうちの少なくとも１種であってもよく、ここではアクセス情報がアクセスカテゴリであることを例に、上記アクセス制御方法について説明する。
【００７３】
端末は、その開始したサービス要求のアクセスカテゴリを決定し、
端末は、ネットワーク側装置が放送した、アクセス制御パラメータを搬送しないか又はそれぞれ少なくとも１つのアクセスカテゴリと関連付けられる少なくとも１組のアクセス制御パラメータを搬送する第１のシステムメッセージを受信し、
前記第１のシステムメッセージがアクセス制御パラメータを搬送しないか、又は前記アクセスカテゴリが前記少なくとも１組のアクセス制御パラメータと関連付けられないと、端末は、特定の動作を実行する。
【００７４】
なお、上記端末が特定の動作を実行することは、以下の方式１〜８を含むが、これらに限定されない。
【００７５】
方式１では、端末は、第１の予め設定されたルールに応じて、常にそのアクセスカテゴリのアクセス要求の開始を許可し、
方式２では、端末は、第２の予め設定されたルールに応じて、常にそのアクセスカテゴリのアクセス要求の開始を禁止し、
方式３では、端末は、第３の予め設定されたルールに応じて、プロトコルによって約束された１組のアクセス制御パラメータを利用して、そのアクセスカテゴリのアクセス要求が禁止されるか否かを決定し、
方式４では、上記第１のシステムメッセージがアクセスパラメータと関連付けられる少なくとも１組のアクセス制御パラメータを搬送した場合、端末は、予めの設定に基づいて、該少なくとも１組のアクセス制御パラメータのうちの１組のアクセス制御パラメータを用いて、アクセスカテゴリのアクセス要求が禁止されるか否かを決定し、該予めの設定は、端末が第１のシステムメッセージ中のアクセスカテゴリと関連付けられるように設定された１組のアクセス制御パラメータを用いて、アクセスカテゴリのアクセス要求が禁止されるか否かを決定するように指示し、
方式５では、端末は、その予め設定された公衆アクセス制御パラメータを用いて、アクセスカテゴリのアクセス要求が禁止されるか否かを決定し、
方式６では、端末は、上記第１のシステムメッセージに搬送された公衆アクセス制御パラメータを読み取り、アクセスカテゴリのアクセス要求が禁止されるか否かを決定する。
【００７６】
方式７では、端末は、第２のシステムメッセージを受信し、かつ第２のシステムメッセージに搬送された公衆アクセス制御パラメータを読み取り、アクセスカテゴリのアクセス要求が禁止されるか否かを決定する。
【００７７】
方式８では、端末は、予め設定された、そのアクセスカテゴリと関連付けられるアクセス制御パラメータに基づいて、アクセスカテゴリのアクセス要求が禁止されるか否かを決定する。
【００７８】
本開示の実施例に係るアクセス制御方法は、端末のアクセス情報を決定し、ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信し、第１のシステムメッセージがアクセス制御パラメータを搬送しないか、又はアクセス情報が少なくとも１組のアクセス制御パラメータと関連付けられないと、特定の動作を実行する。このように、端末は、その開始したサービス要求のアクセス情報に、関連付けられるアクセス制御パラメータが設定されない場合、特定の動作を実行できることにより、端末の動作の制御不能となる可能性を低減し、端末のサービス体験性能を向上させる。
【００７９】
図３は、本開示の実施例に係るメッセージ放送方法のフローチャートであり、図３に示すように、以下のステップ３０１を含む。
【００８０】
ステップ３０１では、アクセス制御パラメータを搬送しないか又は少なくとも１組のアクセス制御パラメータを搬送し、１組の公衆アクセス制御パラメータを搬送する第１のシステムメッセージを放送し、或いはアクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは１組の公衆アクセス制御パラメータを搬送する第２のシステムメッセージを放送する。
【００８１】
前記少なくとも１組のアクセス制御パラメータのそれぞれは、少なくとも１つのアクセス情報と関連付けられ、前記公衆アクセス制御パラメータは、アクセス情報と関連付けられない。
【００８２】
なお、本開示の実施例は、図２に示した実施例に対応するネットワーク側装置の実施例として、その具体的な実施形態が図２に示した実施例の関連説明を参照し、同様の有益な効果を達成でき、重複した説明を避けるために、ここでは説明を省略する。
【００８３】
図４は、本開示の実施例に係る端末の構成図であり、図４に示すように、端末４００は、
アクセスカテゴリ及び公衆陸上移動体ネットワークＰＬＭＮ情報のうちの少なくとも一方を含む前記端末のアクセス情報を決定する決定モジュール４０１と、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信する受信モジュール４０２と、
前記第１のシステムメッセージがアクセス制御パラメータを搬送しないか、又は前記アクセス情報が前記少なくとも１組のアクセス制御パラメータと関連付けられないと、特定の動作を実行する処理モジュール４０３とを含む。
【００８４】
好ましくは、前記処理モジュール４０３は、具体的には、
前記端末が前記アクセス情報のアクセス要求の開始を許可するように指示するか、又は前記端末が前記アクセス情報のアクセス要求の開始を禁止するように指示するか、又は前記端末がプロトコルによって約束された１組のアクセス制御パラメータを利用して、前記アクセス情報のアクセス要求が禁止されるか否かを決定するように指示する予め設定されたルールに応じて前記特定の動作を実行する。
【００８５】
好ましくは、前記処理モジュール４０３は、具体的には、
前記アクセス情報と関連付けられない第１のアクセス制御パラメータに基づいて、前記アクセス情報のアクセス要求が禁止されるか否かを決定する。或いは
前記アクセス情報と関連付けられる第２のアクセス制御パラメータに基づいて、前記アクセス情報のアクセス要求が禁止されるか否かを決定する。
【００８６】
好ましくは、前記第１のアクセス制御パラメータは、前記少なくとも１組のアクセス制御パラメータのうちの指定された１組のアクセス制御パラメータであるか、又はアクセス情報と関連付けられない公衆アクセス制御パラメータである。
【００８７】
好ましくは、前記公衆アクセス制御パラメータは、前記端末に予め設定されたアクセス制御パラメータであるか、又は前記第１のシステムメッセージに搬送されたアクセス制御パラメータであるか、又は前記端末が受信した第２のシステムメッセージに搬送されたアクセス制御パラメータであり、かつ前記第２のシステムメッセージが前記第１のシステムメッセージと異なる。
【００８８】
好ましくは、前記第２のアクセス制御パラメータは、前記端末に予め設定された、前記アクセス情報と関連付けられるアクセス制御パラメータである。
【００８９】
なお、本開示の実施例において、上記端末４００は、方法の実施例における任意の実施形態に係る端末であってよく、方法の実施例における端末の任意の実施形態は、いずれも本開示の実施例に係る上記端末４００により実現され、かつ同様の効果を達成し、重複した説明を避けるために、ここでは説明を省略する。
【００９０】
図５は、本発明の実施例に係るネットワーク側装置の構成図であり、図５に示すように、ネットワーク側装置５００は、
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送する、送信モジュール５０１を含み、
前記少なくとも１組のアクセス制御パラメータのそれぞれは、少なくとも１つのアクセス情報と関連付けられ、前記公衆アクセス制御パラメータは、アクセス情報と関連付けられない。
【００９１】
なお、本開示の実施例において、上記ネットワーク側装置５００は、方法の実施例における任意の実施形態に係るネットワーク側装置であってよく、方法の実施例におけるネットワーク側装置の任意の実施形態は、いずれも本開示の実施例に係る上記ネットワーク側装置５００により実現され、かつ同様の効果を達成し、重複を避けるために、ここでは説明を省略する。
【００９２】
図６は、本開示の各実施例を実現する端末のハードウェア構成概略図であり、端末６００は、無線周波数ユニット６０１、ネットワークモジュール６０２、オーディオ出力ユニット６０３、入力ユニット６０４、センサ６０５、表示ユニット６０６、ユーザ入力ユニット６０７、インタフェースユニット６０８、メモリ６０９、プロセッサ６１０及び電源６１１等の部品を含むが、これらに限定されない。当業者が理解できるように、図６に示した端末６００は、端末を限定するものではなく、端末は、図示より多いか又は少ない部品を含んでもよく、ある部品と組み合わせたり、異なる部品を配置したりしてもよい。本開示の実施例において、端末は、携帯電話、タブレットコンピュータ、ノートパソコン、パームトップコンピュータ、車載端末、ウェアラブルデバイス及び歩数計などを含むが、これらに限定されない。
【００９３】
無線周波数ユニット６０１は、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信し、
プロセッサ６１０は、
アクセスカテゴリ及び公衆陸上移動体ネットワークＰＬＭＮ情報のうちの少なくとも一方を含む前記端末のアクセス情報を決定し、
前記第１のシステムメッセージがアクセス制御パラメータを搬送しないか、又は前記アクセス情報が前記少なくとも１組のアクセス制御パラメータと関連付けられないと、特定の動作を実行する。
【００９４】
好ましくは、プロセッサ６１０は、さらに、
前記端末が前記アクセス情報のアクセス要求の開始を許可するように指示するか、又は前記端末が前記アクセス情報のアクセス要求の開始を禁止するように指示するか、又は前記端末がプロトコルによって約束された１組のアクセス制御パラメータを利用して、前記アクセス情報のアクセス要求が禁止されるか否かを決定するように指示する予め設定されたルールに応じて前記特定の動作を実行する。
【００９５】
好ましくは、プロセッサ６１０は、さらに、
前記アクセス情報と関連付けられない第１のアクセス制御パラメータに基づいて、前記アクセス情報のアクセス要求が禁止されるか否かを決定し、或いは
前記アクセス情報と関連付けられる第２のアクセス制御パラメータに基づいて、前記アクセス情報のアクセス要求が禁止されるか否かを決定する。
【００９６】
好ましくは、前記第１のアクセス制御パラメータは、前記少なくとも１組のアクセス制御パラメータのうちの指定された１組のアクセス制御パラメータであるか、又はアクセス情報と関連付けられない公衆アクセス制御パラメータである。
【００９７】
好ましくは、前記公衆アクセス制御パラメータは、前記端末に予め設定されたアクセス制御パラメータであるか、又は前記第１のシステムメッセージに搬送されたアクセス制御パラメータであるか、又は前記端末が受信した第２のシステムメッセージに搬送されたアクセス制御パラメータであり、かつ前記第２のシステムメッセージが前記第１のシステムメッセージと異なる。
【００９８】
好ましくは、前記第２のアクセス制御パラメータは、前記端末に予め設定された、前記アクセス情報と関連付けられるアクセス制御パラメータである。
【００９９】
本開示の実施例において、アクセスカテゴリ及び公衆陸上移動体ネットワークＰＬＭＮ情報のうちの少なくとも一方を含む端末のアクセス情報を決定し、ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信し、第１のシステムメッセージがアクセス制御パラメータを搬送しないか、又はアクセス情報が少なくとも１組のアクセス制御パラメータと関連付けられないと、特定の動作を実行する。このように、端末は、その開始したサービス要求のアクセス情報に、関連付けられるアクセス制御パラメータが設定されない場合、特定の動作を実行できることにより、端末の動作の制御不能となる可能性を低減し、端末のサービス体験性能を向上させる。
【０１００】
本開示の実施例において、無線周波数ユニット６０１は、情報の送受信中又は通話中の信号の送受信に適用可能であり、具体的には、基地局からのダウンリンクデータを受信した後、プロセッサ６１０に処理させ、また、アップリンクデータを基地局に送信することを理解されたい。一般的に、無線周波数ユニット６０１は、アンテナ、少なくとも１つの増幅器、送受信機、カプラ、低雑音増幅器、デュプレクサなどを含むが、これらに限定されない。また、無線周波数ユニット６０１は、さらに、無線通信システムによりネットワーク及び他の装置と通信することができる。
【０１０１】
端末は、ネットワークモジュール６０２によりユーザに無線のブロードバンドインターネットアクセスを提供して、ユーザの電子メールの送受信、ウェブの閲覧及びストリーミングメディアのアクセスなどを助ける。
【０１０２】
オーディオ出力ユニット６０３は、無線周波数ユニット６０１又はネットワークモジュール６０２によって受信されるか又はメモリ６０９に記憶されているオーディオデータをオーディオ信号に変換して音声として出力することができる。また、オーディオ出力ユニット６０３は、さらに、端末６００によって実行される特定の機能に関連するオーディオ出力（例えば、呼出音、メッセージ着信音等）を提供することができる。オーディオ出力ユニット６０３は、スピーカ、ブザー及びレシーバーなどを含む。
【０１０３】
入力ユニット６０４は、オーディオ又はビデオ信号を受信する。入力ユニット６０４は、グラフィック処理ユニット（Ｇｒａｐｈｉｃｓ  Ｐｒｏｃｅｓｓｉｎｇ  Ｕｎｉｔ、ＧＰＵ）６０４１及びマイクロフォン６０４２を含んでもよく、グラフィックプロセッサ６０４１は、動画撮影モード又は撮影モードで撮影装置（例えば、カメラ）によって取得された静止画像又はビデオの画像データを処理する。処理後の画像フレームは、表示ユニット６０６に表示することができる。グラフィックプロセッサ６０４１によって処理された画像フレームは、メモリ６０９（又は他の記憶媒体）に記憶されてもよく、無線周波数ユニット６０１又はネットワークモジュール６０２によって送信されてもよい。マイクロフォン６０４２は、音声を受信し、かつこのような音声をオーディオデータに処理することができる。処理後のオーディオデータは、電話通話モードで無線周波数ユニット６０１によって移動通信基地局に送信可能なフォーマットに変換されて出力ことができる。
【０１０４】
端末６００は、さらに、光センサ、動きセンサ及び他のセンサなどの少なくとも１種のセンサ６０５を含んでもよい。具体的には、光センサは、環境光線の明るさに応じて表示パネル６０６１の輝度を調節することができる環境光センサと、端末６００が耳元に移動するときに、表示パネル６０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢の識別（例えば、縦向き／横向きの切替、関連ゲーム、磁力計の姿勢較正）、振動識別に関連する機能（例えば、歩数計、タッピング）などに用いられてよく、センサ６０５は、さらに、指紋センサ、圧力センサ、虹彩センサ、分子センサ、ジャイロスコープ、気圧計、湿度計、温度計、赤外線センサなどを含んでもよく、ここでは説明を省略する。
【０１０５】
表示ユニット６０６は、ユーザによって入力された情報又はユーザに提供された情報を表示する。表示ユニット６０６は、表示パネル６０６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ  −  Ｅｍｉｔｔｉｎｇ  Ｄｉｏｄｅ、ＯＬＥＤ）などの形態で表示パネル６０６１を配置してもよい。
【０１０６】
ユーザ入力ユニット６０７は、入力された数字又は文字情報を受信すると共に、端末のユーザ設定及び機能制御に関連するキー信号入力を生成することができる。具体的には、ユーザ入力ユニット６０７は、タッチパネル６０７１及び他の入力装置６０７２を含む。タッチパネル６０７１は、タッチスクリーンとも呼ばれ、その上又はその近くでのユーザのタッチ操作（例えば、指、スタイラスペンなどの任意の適切な物体又は付属品を用いるタッチパネル６０７１上又はタッチパネル６０７１の近くでのユーザの操作）を収集することができる。タッチパネル６０７１は、タッチ検出装置及びタッチコントローラの２つの部品を含んでもよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ６１０に送信し、プロセッサ６１０から送信されたコマンドを受信し、実行する。また、抵抗式、容量式、赤外線式及び表面弾性波式などの複数のタイプでタッチパネル６０７１を実現することができる。タッチパネル６０７１に加えて、ユーザ入力ユニット６０７は、さらに、他の入力装置６０７２を含んでもよい。具体的には、他の入力装置６０７２は、物理キーボード、機能キー（例えば、ボリューム調節キー、スイッチキーなど）、トラックボール、マウス及び操作レバーを含み得るが、これらに限定されず、ここでは説明を省略する。
【０１０７】
さらに、タッチパネル６０７１は、表示パネル６０６１をカバーすることができ、タッチパネル６０７１がその上又はその近くでのタッチ操作を検出した後、プロセッサ６１０に伝送してタッチイベントのタイプを決定し、その後に、プロセッサ６１０は、タッチイベントのタイプに応じて表示パネル６０６１に対応する視覚的出力を提供する。図６において、タッチパネル６０７１と表示パネル６０６１は、２つの独立した部品として端末の入出力機能を実現するが、いくつかの実施例において、タッチパネル６０７１と表示パネル６０６１を一体化して端末の入出力機能を実現することができ、ここでは具体的に限定しない。
【０１０８】
インタフェースユニット６０８は、外部装置と端末６００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでもよい。インタフェースユニット６０８は、外部装置からの入力（例えば、データ情報、電力など）を受信すると共に、受信した入力を端末６００内の１つ以上の素子に伝送するか又は端末６００と外部装置との間にデータを伝送することができる。
【０１０９】
メモリ６０９は、ソフトウェアプログラム及び様々なデータを記憶する。メモリ６０９は、主に、オペレーティングシステム、少なくとも１つの機能（例えば、音声再生機能、画像再生機能など）に必要なアプリケーションプログラムなどを記憶できるプログラム記憶領域と、携帯電話の使用に応じて作成されたデータ（例えば、オーディオデータ、電話帳など）などを記憶できるデータ記憶領域とを含んでもよい。また、メモリ６０９は、高速ランダムアクセスメモリを含んでもよく、さらに、少なくとも１つの磁気ディスクメモリ素子、フラッシュメモリ素子又は他の揮発性固体メモリ素子などの不揮発性メモリを含んでもよい。
【０１１０】
プロセッサ６１０は、端末の制御センターであり、様々なインタフェースと回線により端末全体の各部分に接続され、メモリ６０９に記憶されているソフトウェアプログラム及び／又はモジュールを動作させるか又は実行し、メモリ６０９に記憶されているデータを呼び出すことにより、端末の様々な機能とデータ処理を実行して、端末全体を監視する。プロセッサ６１０は、１つ以上の処理ユニットを含んでもよく、好ましくは、プロセッサ６１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ６１０に集積されなくてもよいことを理解されたい。
【０１１１】
端末６００は、さらに、各部品に給電する電源６１１（例えば、電池）を含んでもよく、好ましくは、電源６１１は、電源管理システムによりプロセッサ６１０と論理的に接続されて、電源管理システムにより充電、放電の管理及び消費電力の管理などの機能を実現することができる。
【０１１２】
また、端末６００は、いくつかの未図示の機能モジュールを含み、ここでは説明を省略する。
【０１１３】
好ましくは、本開示の実施例に係る端末６００は、プロセッサ６１０と、メモリ６０９と、メモリ６０９に記憶されて前記プロセッサ６１０上で実行可能で、プロセッサ６１０により実行されると、上記アクセス制御方法の実施例の各プロセスを実現し、かつ同じ技術的効果を達成できるプログラムとを含み、重複を避けるために、ここでは説明を省略する。
【０１１４】
本開示の実施例に係るコンピュータ読み取り可能な記憶媒体は、プロセッサにより実行されると、本開示の実施例に係る端末側のアクセス制御方法の実施例の各プロセスを実現するか、又は本開示の実施例に係るネットワーク側装置のアクセス制御方法の実施例の各プロセスを実現し、かつ同じ技術的効果を達成できるプログラムが記憶されており、重複を避けるために、ここでは説明を省略する。前記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、ディスク又は光ディスクなどであってもよい。
【０１１５】
図７は、本発明の実施例に係る別のネットワーク側装置の構成図であり、図７に示すように、該ネットワーク側装置７００は、プロセッサ７０１、トランシーバ７０２、メモリ７０３及びバスインタフェースを含み、
トランシーバ７０２は、
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送し、
前記少なくとも１組のアクセス制御パラメータのそれぞれは、少なくとも１つのアクセス情報と関連付けられ、前記公衆アクセス制御パラメータは、アクセス情報と関連付けられない。
【０１１６】
トランシーバ７０２は、プロセッサ７０１による制御下で、データを送受信し、前記トランシーバ７０２は、少なくとも２つのアンテナポートを含む。
【０１１７】
図７において、バスアーキテクチャは、任意の数の相互接続されたバス及びブリッジを含み、具体的には、プロセッサ７０１に代表される１つ以上のプロセッサと、メモリ７０３に代表されるメモリの様々な回路によって一体に接続されている。バスアーキテクチャは、さらに、周辺装置、電圧レギュレータ及びパワー管理回路などの様々なその他の回路を一体に接続してもよく、これらは、いずれも本分野において既知のものであるため、本明細書においてさらに説明しない。バスインタフェースは、インタフェースを提供する。トランシーバ７０２は、複数の部品であってよく、即ち、送信機と受信機とを含み、伝送媒体上で様々なその他の装置と通信するユニットを提供する。異なるユーザ装置に対して、ユーザインタフェース７０４は、必要な機器を外接と内接可能なインタフェースであってもよく、接続される装置は、キーパッド、ディスプレイ、スピーカ、マイクロフォン、ジョイスティックなどを含むが、これらに限定されない。
【０１１８】
プロセッサ７０１は、バスアーキテクチャ及び一般的な処理の管理を担当し、メモリ７０３は、プロセッサ７０１が操作実行時に使用するデータを記憶してもよい。
【０１１９】
好ましくは、本開示の実施例に係るネットワーク側装置７００は、プロセッサ７０１と、メモリ７０３と、メモリ７０３に記憶されて前記プロセッサ７０１上で実行可能で、プロセッサ７０１により実行されると、上記メッセージ放送方法の実施例の各プロセスを実現し、かつ同じ技術的効果を達成できるプログラムとを含み、重複を避けるために、ここでは説明を省略する。
【０１２０】
本開示の実施例に係るコンピュータ読み取り可能な記憶媒体は、プロセッサにより実行されると、本開示の実施例に係る端末側のメッセージ放送方法の実施例の各プロセスを実現するか、又は本開示の実施例に係るネットワーク側装置のメッセージ放送方法の実施例の各プロセスを実現し、かつ同じ技術的効果を達成できるプログラムが記憶されており、重複を避けるために、ここでは説明を省略する。前記コンピュータ読み取り可能な記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、ディスク又は光ディスクなどであってもよい。
【０１２１】
なお、本明細書において、用語「含む」、「含有」又はそれらの如何なる他の変形は、非排他的に含むことをカバーするものであることにより、一連の要素を含むプロセス、方法、物品又は装置は、それらの要素を含むだけでなく、明確に列記されていない他の要素をさらに含むか、又はこのようなプロセス、方法、物品又は装置の固有の要素をさらに含む。より多くの限定がない場合、語句「１つ・・・を含む」により限定された要素は、該要素を含むプロセス、方法、物品又は装置に別の同一の要素がさらに存在することを排除するものではない。
【０１２２】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク装置などであってもよい）に本開示の各実施例に記載の方法を実行させるための複数の命令を含む。
【０１２３】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆に基づき、本開示の趣旨及び特許請求の範囲の保護範囲から逸脱せずに多くの形式を行うことができ、これらは、いずれも本開示の保護範囲内に属する。
【図１】
2021521737.tif 000003
【図２】
2021521737.tif 000004
【図３】
2021521737.tif 000005
【図４】
2021521737.tif 000006
【図５】
2021521737.tif 000007
【図６】
2021521737.tif 000008
【図７】
2021521737.tif 000009
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
端末に適用されるアクセス制御方法であって、
アクセスカテゴリ及び公衆陸上移動体ネットワークＰＬＭＮ情報のうちの少なくとも一方を含む前記端末のアクセス情報を決定することと、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信することと、
前記第１のシステムメッセージがアクセス制御パラメータを搬送しないか、又は前記アクセス情報が前記少なくとも１組のアクセス制御パラメータと関連付けられないと、特定の動作を実行することとを含む、アクセス制御方法。
【請求項２】
前記特定の動作を実行することは、
前記端末が前記アクセス情報のアクセス要求の開始を許可するように指示するか、又は前記端末が前記アクセス情報のアクセス要求の開始を禁止するように指示するか、又は前記端末がプロトコルによって約束された１組のアクセス制御パラメータを利用して、前記アクセス情報のアクセス要求が禁止されるか否かを決定するように指示する予め設定されたルールに応じて前記特定の動作を実行することを含む、請求項１に記載のアクセス制御方法。
【請求項３】
前記特定の動作を実行することは、
前記アクセス情報と関連付けられない第１のアクセス制御パラメータに基づいて、前記アクセス情報のアクセス要求が禁止されるか否かを決定し、或いは
前記アクセス情報と関連付けられる第２のアクセス制御パラメータに基づいて、前記アクセス情報のアクセス要求が禁止されるか否かを決定することを含む、請求項１に記載のアクセス制御方法。
【請求項４】
前記第１のアクセス制御パラメータは、前記少なくとも１組のアクセス制御パラメータのうちの１組のアクセス制御パラメータであるか、又はアクセス情報と関連付けられない公衆アクセス制御パラメータである、請求項３に記載のアクセス制御方法。
【請求項５】
前記公衆アクセス制御パラメータは、前記端末に予め設定されたアクセス制御パラメータであるか、又は前記第１のシステムメッセージに搬送されたアクセス制御パラメータであるか、又は前記端末が受信した第２のシステムメッセージに搬送されたアクセス制御パラメータであり、かつ前記第２のシステムメッセージが前記第１のシステムメッセージと異なる、請求項４に記載のアクセス制御方法。
【請求項６】
前記第２のアクセス制御パラメータは、前記端末に予め設定された、前記アクセス情報と関連付けられるアクセス制御パラメータである、請求項３に記載のアクセス制御方法。
【請求項７】
ネットワーク側装置に適用されるメッセージ放送方法であって、
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送することを含み、
前記少なくとも１組のアクセス制御パラメータのそれぞれが少なくとも１つのアクセス情報と関連付けられ、前記公衆アクセス制御パラメータがアクセス情報と関連付けられない、メッセージ放送方法。
【請求項８】
アクセスカテゴリ及び公衆陸上移動体ネットワークＰＬＭＮ情報のうちの少なくとも一方を含む端末のアクセス情報を決定する決定モジュールと、
ネットワーク側装置が放送した、アクセス制御パラメータを搬送しないか又はそれぞれ少なくとも１つのアクセス情報と関連付けられる少なくとも１組のアクセス制御パラメータを搬送する第１のシステムメッセージを受信する受信モジュールと、
前記第１のシステムメッセージがアクセス制御パラメータを搬送しないか、又は前記アクセス情報が前記少なくとも１組のアクセス制御パラメータと関連付けられないと、特定の動作を実行する処理モジュールとを含む、端末。
【請求項９】
前記処理モジュールは、具体的には、
前記端末が前記アクセス情報のアクセス要求の開始を許可するように指示するか、又は前記端末が前記アクセス情報のアクセス要求の開始を禁止するように指示するか、又は前記端末がプロトコルによって約束された１組のアクセス制御パラメータを利用して、前記アクセス情報のアクセス要求が禁止されるか否かを決定するように指示する予め設定されたルールに応じて前記特定の動作を実行する、請求項８に記載の端末。
【請求項１０】
前記処理モジュールは、具体的には、
前記アクセス情報と関連付けられない第１のアクセス制御パラメータに基づいて、前記アクセス情報のアクセス要求が禁止されるか否かを決定し、或いは
前記アクセス情報と関連付けられる第２のアクセス制御パラメータに基づいて、前記アクセス情報のアクセス要求が禁止されるか否かを決定する、請求項８に記載の端末。
【請求項１１】
前記第１のアクセス制御パラメータは、前記少なくとも１組のアクセス制御パラメータのうちの指定された１組のアクセス制御パラメータであるか、又はアクセス情報と関連付けられない公衆アクセス制御パラメータである、請求項１０に記載の端末。
【請求項１２】
前記公衆アクセス制御パラメータは、前記端末に予め設定されたアクセス制御パラメータであるか、又は前記第１のシステムメッセージに搬送されたアクセス制御パラメータであるか、又は前記端末が受信した第２のシステムメッセージに搬送されたアクセス制御パラメータであり、かつ前記第２のシステムメッセージが前記第１のシステムメッセージと異なる、請求項１１に記載の端末。
【請求項１３】
前記第２のアクセス制御パラメータは、前記端末に予め設定された、前記アクセス情報と関連付けられるアクセス制御パラメータである、請求項１０に記載の端末。
【請求項１４】
アクセス制御パラメータを搬送しないか又は少なくとも１組のアクセス制御パラメータを搬送し、１組の公衆アクセス制御パラメータを搬送する第１のシステムメッセージを放送し、或いは
アクセス制御パラメータを搬送しないか又は少なくとも１組のアクセス制御パラメータを搬送する前記第１のシステムメッセージ及び１組の公衆アクセス制御パラメータを搬送する第２のシステムメッセージを放送し、或いは
１組の公衆アクセス制御パラメータを搬送する第２のシステムメッセージを放送する送信モジュールを含み、
前記少なくとも１組のアクセス制御パラメータのそれぞれが少なくとも１つのアクセス情報と関連付けられ、前記公衆アクセス制御パラメータがアクセス情報と関連付けられない、ネットワーク側装置。
【請求項１５】
プロセッサにより実行されると、請求項１〜６のいずれか１項に記載のアクセス制御方法のステップを実現し、または、請求項７に記載のメッセージ放送方法のステップを実現するプログラムが記憶される、コンピュータ読み取り可能な記憶媒体。
【国際調査報告】
2021521737.tif 000010
2021521737.tif 000011
2021521737.tif 000012
2021521737.tif 000013